(57)【要約】【課題】この発明は、目的階検索装置を操作した利用者を効率よく目的階に移動させることができるエレベータの制御装置を得ることを目的とする。【解決手段】エレベータの制御装置は、複数のかご２の運行を群管理する運行制御装置６、及び運行制御装置６に接続されており、かつビル内の複数の行先が登録されており、行先に対応した目的階を検索するための目的階検索装置１０を有している。運行制御装置６は、目的階検索装置１０に対する目的階の検索操作が行われると、いずれか１台のかご２を専用運転かごとして群管理から切り離し、専用運転かごを目的階検索装置１０が設置された階から目的階への専用運転（ＶＩＰ運転）に割り当てる。【選択図】図１
2006103909.tif 000002
【特許請求の範囲】
【請求項１】
複数のエレベータかごの運行を群管理する運行制御装置、及び
上記運行制御装置に接続されており、かつビル内の複数の行先が登録されており、行先に対応した目的階を検索するための目的階検索装置
を備え、
上記運行制御装置は、上記目的階検索装置に対する目的階の検索操作が行われると、いずれか１台のかごを専用運転かごとして群管理から切り離し、上記専用運転かごを上記目的階検索装置が設置された階から目的階への専用運転に割り当てることを特徴とするエレベータの制御装置。
【請求項２】
上記運行制御装置は、上記目的階検索装置によって目的階が検索されたときに、上記目的階検索装置が操作された階での乗場呼び登録を自動的に行うことを特徴とする請求項１に記載のエレベータの制御装置。
【請求項３】
上記運行制御装置は、上記専用運転かごの目的階へのかご呼び登録を自動的に行うことを特徴とする請求項２に記載のエレベータ制御装置。
【請求項４】
上記運行制御装置は、上記目的階検索装置が操作された階での乗場呼び登録が行われたときに、上記目的階以外へのかご呼び登録を無効化することを特徴とする請求項１〜請求項３のいずれかに記載のエレベータの制御装置。
【請求項５】
上記運行制御装置は、目的階へのかご呼び登録が行われたときに、訪問者の来訪を訪問先に知らせるための通知信号を出力することを特徴とする請求項１〜請求項４のいずれかに記載のエレベータの制御装置。
【発明の詳細な説明】
【技術分野】
【０００１】
この発明は、行先に対応した目的階を検索するための目的階検索装置を有するエレベータの制御装置に関するものである。
【背景技術】
【０００２】
従来技術では、エレベータかご内あるいは乗場に、行先階検索用の複数の入力装置及び表示装置が設けられ、かご内の乗客、あるいは乗場での待ち客が、会社名や部署名の情報を入力装置に入力したときに、行先階の階と、行先階のレイアウトや会社名や部署名とが表示装置に表示されていた（例えば、特許文献１参照）。
【０００３】
【特許文献１】特開平６−６４８５６号公報
【発明の開示】
【発明が解決しようとする課題】
【０００４】
上記のような従来技術では、行先階検索用の入力装置及び表示装置と、エレベータの制御装置とは連動されておらず、制御装置は、入力装置が操作された乗場での待ち客を特別に認識することはなかった。このため、入力装置が操作された乗場の階から表示装置に表示された行先階の階へ行く場合には、制御装置によって群管理されたエレベータかごが利用されることになり、各乗場で登録された乗場呼びに応じてかごが停止するので、行先階へ行くまでに多少の時間のロスを生じさせていた。
【０００５】
この発明は、上記のような課題を解決するためになされたものであり、目的階検索装置を操作した利用者を効率よく目的階に移動させることができるエレベータの制御装置を得ることを目的とする。
【課題を解決するための手段】
【０００６】
この発明に係るエレベータの制御装置は、複数のエレベータかごの運行を群管理する運行制御装置、及び運行制御装置に接続されており、かつビル内の複数の行先が登録されており、行先に対応した目的階を検索するための目的階検索装置を備え、運行制御装置は、目的階検索装置に対する目的階の検索操作が行われると、いずれか１台のかごを専用運転かごとして群管理から切り離し、専用運転かごを目的階検索装置が設置された階から目的階への専用運転に割り当てる。
【発明の効果】
【０００７】
この発明は、目的階検索装置に対する目的階の検索操作が行われると、いずれか１台のかごを専用運転かごとして群管理から切り離し、専用運転かごを目的階検索装置が設置された階から目的階への専用運転に割り当てるので、目的階検索装置を操作した利用者を効率よく目的階に移動させることができる。
【発明を実施するための最良の形態】
【０００８】
以下、この発明を実施するための最良の形態について、図面を参照して説明する。
図１は、この発明の実施の形態の一例によるエレベータの制御装置の設置例を示す構成図である。図において、ビル１内には、複数のかご２が昇降するための昇降路３が設けられている。各かご２内には、かご操作盤４が設けられている。また、ビル１の屋上には、機械室５が設けられている。機械室５には、各かご２の昇降を制御するとともに、各かご２の運行を群管理するための運行制御装置６が設置されている。また、ビル１内の各乗場には、乗場釦８が設けられている。
【０００９】
ビル１内の最下階の乗場７には、訪問者９の訪問先（行先）に対応した目的階を検索するための目的階検索装置１０が設置されている。目的階検索装置１０には、ビル１内の複数の行先が登録されている。エレベータの制御装置は、運行制御装置６と目的階検索装置１０とを有している。訪問者９の訪問先であるビル１内の部屋１１には、訪問者９の来訪を知らせる表示装置１２が設けられている。表示装置１２としては、専用の装置、又はパーソナルコンピュータ等を用いることができる。
【００１０】
運行制御装置６は、信号線１３を介して表示装置１２に接続されている。運行制御装置６は、訪問者９によって目的階検索装置１０の目的階の検索装置が行われると、ビル１内のいずれか１台のかご２を専用運転かごとして群管理から切り離し、専用運転かごを目的階検索装置１０が設置された階から目的階への専用運転（ＶＩＰ運転）に割り当てる。
【００１１】
また、運行制御装置６は、目的階検索装置１０によって目的階が検索されたときに、目的階検索装置１０が操作された階での乗場呼び登録を自動的に行う。さらに、運行制御装置６は、専用運転かごの目的階へのかご呼び登録を自動的に行う。さらにまた、運行制御装置６は、目的階検索装置１０が操作された階での乗場呼び登録が行われたときに、目的階以外へのかご呼び登録を無効化する。また、運行制御装置６は、目的階へのかご呼び登録が行われたときに、訪問者９の来訪を訪問先に知らせるための通知信号を出力する。
【００１２】
次に、動作について説明する。図２は、図１の運行制御装置６の動作を示すフローチャートである。運行制御装置６は、まず、エレベータを平常運転で制御しておき（ステップＳ１０１）、目的階検索装置１０によって訪問先が検索されたかどうかを判断する（ステップＳ１０２）。訪問先が検索されていなければ、平常運転での制御を維持し（ステップＳ１０１）、訪問先が検索されていれば、ビル１内のいずれか１台のかご２を専用運転かごとして群管理から切り離し、専用運転かごを目的階検索装置１０が設置された階から目的階への専用運転に割り当てる（ステップＳ１０３）。
【００１３】
次に、専用運転かご用に、目的階検索装置１０が操作された階での乗場呼び登録を自動的に行い（ステップＳ１０４）、目的階以外へのかご呼び登録を無効化するように制御する（ステップＳ１０５）。専用運転かごが、目的階検索装置１０が操作された階に到着したら、エレベータドアの上部に取り付けられた光電装置等（かご搭乗認識手段）により、訪問者９が専用運転かごに乗車したかどうかを判断し（ステップＳ１０６）、訪問者９が専用運転かごに乗車していない間は、所定の時間が経過したかどうかを判断する（ステップＳ１０７）。
【００１４】
訪問者９が専用運転かごに乗車しておらず、所定の時間が経過していれば、専用運転かごを群管理に戻して平常運転に復帰させる（ステップＳ１０８）。所定の時間以内に訪問者９が専用運転かごに乗車していれば、目的階までのかご呼び登録を自動的に行い（ステップＳ１０９）、表示装置１２に訪問者９の来訪を知らせる通知信号を出力する（ステップＳ１１０）。通知信号を受けた表示装置１２は、内蔵するモニタに、訪問者９の来訪についてのメッセージを表示する。専用運転かごが目的階に到着すると、専用運転かごを群管理に戻して、平常運転に復帰させる（ステップＳ１１１）。
【００１５】
このように、この実施の形態によるエレベータの制御装置によれば、目的階検索装置１０に対する目的階の検索操作が行われると、いずれか１台のかご２を専用運転かごとして群管理から切り離し、専用運転かごを目的階検索装置１０が設置された階から目的階への専用運転に割り当てるので、目的階検索装置１０を操作した訪問者９（利用者）を効率よく目的階に移動させることができる。
また、目的階検索装置１０が設置された階において、専用運転かごの乗場呼び登録と、かご呼び登録とが自動で行われるので、目的階の間違いがなく、時間のロスを防ぐことができる。
さらに、専用運転かごの目的階以外へのかご呼び登録が無効化されるので、セキュリティ性を向上させることができる。
さらにまた、訪問先の部屋１１に設置される表示装置１２に、訪問者９の来訪を知らせる通知信号が出力されるので、通知信号を受けた表示装置１２に訪問者９の来訪のメッセージを表示させることによって、訪問者９が来たことを訪問先の人物に知らせ、訪問者９と訪問先の人物との行き違いを防ぐことができる。
【００１６】
なお、上記の例では、目的階検索装置１０は、ビル１内の最下階に設置されるようにしたが、目的階検索装置が設置される階はこれに限定されない。また、目的階検索装置を複数の階に設置してもよい。
また、上記の例では、目的階検索装置１０が設置された階で、乗場呼び登録が自動的に行われるようにしたが、専用運転かご用の乗場呼び釦を別途設けて、人為的に専用運転かごの乗場呼び登録を行ってもよい。
さらに、上記の例では、専用運転かごのかご呼び登録を自動的に行うようにしたが、かご呼び登録は人為的に行われてもよい。
さらにまた、上記の例では、専用運転かごの目的階以外へのかご呼び登録を無効化するようにしたが、目的階以外へのかご呼び登録を行えるようにしてもよい。
また、上記の例では、訪問者９が専用運転かごに乗車したかどうかを光電装置等のかご搭乗認識手段により判断したが、訪問者が専用運転かごに乗車したかどうかを判断する手段はこれに限定されない。
さらに、運行制御装置からの通知信号が入力される装置は、表示装置以外にも、音声装置でも、他の装置でもよい。
【図面の簡単な説明】
【００１７】
【図１】この発明の実施の形態の一例によるエレベータの制御装置の設置例を示す構成図である。
【図２】図１の運行制御装置の動作を示すフローチャートである。
【符号の説明】
【００１８】
６  運行制御装置、１０  目的階検索装置。
【図１】
2006103909.tif 000003
【図２】
2006103909.tif 000004